(57)【特許請求の範囲】
【請求項１】
撮影対象を対向する位置から撮影し、二次元の画像として出力する撮影部と、
少なくとも前記撮影対象が製本された原稿である場合に、前記原稿の綴じ部の方向に対して直交する第１直線を挟んで対向する第１照射位置及び第２照射位置それぞれから前記原稿に光を順次に照射する光源制御部と、
駆動されることによって位置を変えて前記原稿に前記光を照射する光源を備える光源部と、
前記光源を前記第１照射位置及び前記第２照射位置に位置を変える駆動部を制御する駆動制御部と、
前記光源制御部が前記第１照射位置から前記原稿に光を照射し、前記第１照射位置側の前記原稿により光を正反射させた場合に、前記原稿の前記第２照射位置側に位置する第１領域を前記撮影部が撮影し、前記光源制御部が前記第２照射位置から前記原稿に光を照射し、前記第２照射位置側の前記原稿により光を正反射させた場合に、前記原稿の前記第１領域以外の領域を含む第２領域を前記撮影部が撮影するように制御する撮影制御部と、
前記撮影部が前記第１領域を撮影した二次元の画像と、前記撮影部が前記第２領域を撮影した二次元の画像とを用いて、前記原稿全体の画像を合成する合成部と、
を有することを特徴とする画像読取装置。
【請求項２】
前記光源として、
前記第１照射位置に位置を変えて前記原稿に光を照射する第１光源と、
前記第２照射位置に位置を変えて前記原稿に光を照射する第２光源と、
を有することを特徴とする請求項１に記載の画像読取装置。
【請求項３】
第１照射位置及び第２照射位置の第１配置と、第３照射位置及び第４照射位置の第２配置とがあり、前記第１配置の前記第１直線と前記第２配置の前記第１直線とは直交する、
ことを特徴とする請求項１または２に記載の画像読取装置。
【請求項４】
前記第１配置の各照射位置の光源を順次に照射させること、又は前記第２配置の各照射位置の光源を順次に照射させることのいずれかを選択する入力を受入れる操作部を有し、
前記光源制御部、前記駆動制御部、および前記撮影制御部は、前記操作部が受け入れた入力に応じて前記第１配置の各照射位置または前記第２配置の各照射位置を前記第１照射位置及び前記第２照射位置とみなして制御する、
ことを特徴とする請求項３に記載の画像読取装置。
【請求項５】
前記原稿の綴じ部の方向を検出する検出部を有し、
前記光源制御部、前記駆動制御部、および前記撮影制御部は、前記検出部が検出した綴じ部の方向に応じて前記第１配置の各照射位置または前記第２配置の各照射位置を前記第１照射位置及び前記第２照射位置とみなして制御する、
ことを特徴とする請求項３または４に記載の画像読取装置。
【請求項６】
前記原稿の綴じ部の方向を検出する検出部を有し、
前記駆動制御部は、
前記検出部が検出した前記原稿の綴じ部の方向に応じて前記駆動部の駆動を制御する
ことを特徴とする請求項１に記載の画像読取装置。
【請求項７】
請求項１乃至６のいずれか１項に記載の画像読取装置と、
前記画像読取装置が合成した画像を処理する処理部と、
を有することを特徴とする画像処理装置。
【請求項８】
製本された原稿の綴じ部の方向に対して直交する第１直線を挟んで対向する第１照射位置及び第２照射位置それぞれに光源の位置を変えて前記原稿に光を順次に照射する工程と、
前記第１照射位置から前記原稿に光を照射し、前記第１照射位置側の前記原稿により光を正反射させたときに、前記原稿の前記第２照射位置側に位置する二次元の第１領域を撮影し、前記第２照射位置から前記原稿に光を照射し、前記第２照射位置側の前記原稿により光を正反射させたときに、前記原稿の前記第１領域以外の領域を含む二次元の第２領域を撮影する工程と、
前記第１領域を撮影した二次元の画像と、前記第２領域を撮影した二次元の画像とを用いて、前記原稿全体の画像を合成する工程と、
を含む画像読取方法。
【発明の詳細な説明】
【技術分野】
【０００１】
本発明は、画像読取装置、画像処理装置及び画像読取方法に関する。
【背景技術】
【０００２】
原稿台等の上に製本された原稿の見開きを上向きに載置し、原稿の読取面を上方から照明して、原稿を撮像することにより、原稿画像を読み取る画像読取装置が知られている。この種の画像読取装置において、光沢原稿によって生じる白飛び（ハレーション）の影響を低減する技術がいくつか知られている。
【０００３】
また、特許文献１には、原稿を原稿台上に上向きに載置し、該原稿の画像を上方から読み取る画像読取装置において、原稿を第１の方向から照明する第１照明と、原稿を第２の方向から照明する第２照明と、原稿の画像を撮影するＣＣＤセンサと、第１照明及び第２照明を順次点灯してＣＣＤセンサによって原稿画像の撮影を行い、得られた２つの画像データから原稿面の反射率を求める演算装置とを有する画像読取装置が開示されている。
【発明の概要】
【発明が解決しようとする課題】
【０００４】
しかしながら、従来の画像読取装置では、反射部分の輝度補正のための情報取得や複雑な演算が必要であり、処理時間や多くのメモリも必要となってしまうという問題があった。
【０００５】
本発明は、上記に鑑みてなされたものであって、複雑な計算を行うことなく、白飛びを抑制して画像を読取ることができる画像読取装置、画像処理装置及び画像読取方法を提供することを目的とする。
【課題を解決するための手段】
【０００６】
上述した課題を解決し、目的を達成するために、本発明は、撮影対象を対向する位置から撮影し、二次元の画像として出力する撮影部と、少なくとも前記撮影対象が製本された原稿である場合に、前記原稿の綴じ部の方向に対して直交する第１直線を挟んで対向する第１照射位置及び第２照射位置それぞれから前記原稿に光を順次に照射する光源制御部と、駆動されることによって位置を変えて前記原稿に前記光を照射する光源を備える光源部と、前記光源を前記第１照射位置及び前記第２照射位置に位置を変える駆動部を制御する駆動制御部と、前記光源制御部が前記第１照射位置から前記原稿に光を照射し、前記第１照射位置側の前記原稿により光を正反射させた場合に、前記原稿の前記第２照射位置側に位置する第１領域を前記撮影部が撮影し、前記光源制御部が前記第２照射位置から前記原稿に光を照射し、前記第２照射位置側の前記原稿により光を正反射させた場合に、前記原稿の前記第１領域以外の領域を含む第２領域を前記撮影部が撮影するように制御する撮影制御部と、前記撮影部が前記第１領域を撮影した二次元の画像と、前記撮影部が前記第２領域を撮影した二次元の画像とを用いて、前記原稿全体の画像を合成する合成部と、を有することを特徴とする。
【発明の効果】
【０００７】
本発明によれば、複雑な計算を行うことなく、白飛びを抑制して画像を読取ることができるという効果を奏する。
【図面の簡単な説明】
【０００８】
【図１】図１は、実施形態にかかる画像処理装置の概要を例示する図である。
【図２】図２は、画像読取装置におけるエリアセンサ及びその周辺の詳細を示す図である。
【図３】図３は、画像処理装置が有する機能の概要を示すブロック図である。
【図４】図４は、検出部が検出結果として出力する原稿モードを示す図である。
【図５】図５は、画像読取装置における照明ランプの点灯状態、及び原稿台における照射範囲を示す図である。
【図６】図６は、画像読取装置の動作例を示すフローチャートである。
【図７】図７は、メモリに蓄積された第１撮影画像及び第２撮影画像のそれぞれの部分読み出し範囲を示す図である。
【図８】図８は、比較例における白飛び発生箇所を示す側面図である。
【図９】図９は、比較例における白飛び発生箇所を示す原稿を上方から見た図である。
【図１０】図１０は、光源部の変形例におけるエリアセンサ及びその周辺を示す図である。
【図１１】図１１は、画像処理装置の変形例の概要を例示する図である。
【発明を実施するための形態】
【０００９】
以下に添付図面を参照して、実施形態にかかる画像処理装置を説明する。図１は、実施形態にかかる画像処理装置１０の概要を例示する図である。画像処理装置１０は、例えば画像読取装置２０及び画像形成装置１００を有する。
【００１０】
画像読取装置２０は、原稿台２００に上向きに置かれた原稿（例えば製本された原稿）に対し、複数の照明ランプ３１２によって上方から順次に光を照射し、光を照射する毎にエリアセンサ（カメラ）３００によって二次元の画像を読取る。そして、画像読取装置２０は、複数の読取った画像を合成することにより、１つの原稿画像を生成する。原稿台２００は、直交する２方向にそれぞれスライドして原稿を所定の方向に向ける２つのガイドなどが設けられてもよい。
【００１１】
操作部２０２は、画像読取装置２０に原稿の読取りを開始させるスタートボタンを備え、ユーザがスイッチを操作することにより、画像読取装置２０は原稿の読取を開始する。また、操作部２０２は、複数の照明ランプ３１２の点灯を順次に切替えるスイッチなどを備え、ユーザの複数の操作を受入れるように構成されてもよい。具体的には、操作部２０２は、光源部３１に対して、照明ブロック３１０ａ、３１０ｂの照明ランプ３１２を順次に照射させること、又は照明ブロック３１０ｃ、３１０ｄの照明ランプ３１２を順次に照射させることのいずれかを選択する入力を受入れる。信号ケーブル２０４は、画像読取装置２０と画像形成装置１００とを接続し、画像データなどを伝送する。
【００１２】
上方から二次元画像を撮影して原稿を読取と、読取画像に室内照明の写り込みや、撮影者自身の影の写り込み（外来影響）が発生してしまう場合があるため、画像読取装置２０は、外来影響を抑制するために複数の照明ランプ３１２が設けられている。照明ランプ３１２の読取画像に対する影響については後述する。
【００１３】
ユーザが、原稿台２００に原稿をセットして、読取りたいページを開き、操作部２０２のスタートボタンを押下すると、画像読取装置２０は、照明ランプ３１２を順次に点灯させ、原稿を読取る。その後、ユーザがページを捲り、スタートボタンを押下することを繰り返すことにより、連続して各ページの画像を画像読取装置２０が読取る。
【００１４】
画像読取装置２０は、操作部２０２に対するユーザの操作に応じて、読取った画像データを画像形成装置１００へ送信したり、ＵＳＢメモリなどの記憶装置へ画像データを出力するように構成されてもよい。
【００１５】
画像形成装置１００は、画像読取装置２０から送信された画像データに応じて画像を形成する処理を行う処理部である。画像形成装置１００は、例えば電子写真式の画像形成装置であり、操作部１０２及びＵＳＢソケット１０４などが設けられている。
【００１６】
画像形成装置１００は、例えば画像形成装置本体内に、タンデム方式の作像部とこの作像部に給紙部から搬送路を介して記録紙を供給するレジストローラと、光書き込み装置と、定着、搬送部と、両面トレイとを備えている。作像部には、ＹＭＣＫ４色に対応して４本の感光体ドラムが並設され、各感光体ドラムの回りは帯電器、現像器、転写器、クリーナ、及び除電器を含む作像要素が配置されている。
【００１７】
また、転写器と感光体ドラムとの間には両者のニップに挟持された状態で駆動ローラと従動ローラとの間に張架された中間転写ベルトが配置されている。このように構成されたタンデム方式の画像形成装置では、ＹＭＣＫの各色毎に各色に対応する感光体ドラムに光書き込みを行い、現像器で各色のトナー毎に現像し、中間転写ベルト上に例えばＹ，Ｍ，Ｃ，Ｋの順で１次転写する。そして、１次転写により４色重畳されたフルカラーの画像を記録紙に２次転写した後、定着して排紙することによりフルカラーの画像を記録紙上に形成する。
【００１８】
図２は、画像読取装置２０におけるエリアセンサ３００及びその周辺の詳細を示す図である。なお、図２は、図１に示したエリアセンサ３００などを下方から見た図となっている。エリアセンサ３００の周囲には、光源部３１が配置されている。
【００１９】
光源部３１は、４つの照明ブロック３１０ａ〜３１０ｄによって構成されている。照明ブロック３１０ａ〜３１０ｄは、それぞれ照明ランプ３１２を備え、第１照射位置〜第４照射位置となっている。照明ランプ（光源）３１２は、例えばＬＥＤと導光レンズなどによって構成される。照明ランプ３１２は、複数のＬＥＤなどによって構成されてもよい。ここで、照明ブロック３１０ａ，３１０ｂは、１つの直線上に配置されている。また、照明ブロック３１０ｃ，３１０ｄは、上述した直線に直交する直線上に配置されている。つまり、光源部３１は、少なくとも撮影対象が製本された原稿である場合に、原稿の綴じ部の方向に対して略直交する第１直線を挟んで対向する第１照射位置及び第２照射位置それぞれから原稿に光を順次に照射する。
【００２０】
図３は、画像処理装置１０が有する機能の概要を示すブロック図である。画像読取装置２０は、撮影部３０、上述した光源部３１、検出部３２、メモリ３３、制御部３４、光源／撮影制御部３５、画像処理部３６、エンコーダ３７、画像インターフェイス（Ｉ／Ｆ）３８及び制御インターフェイス（Ｉ／Ｆ）３９を有する。
【００２１】
撮影部３０は、上述したエリアセンサ３００を有する。エリアセンサ３００は、ＣＣＤ又はＣＭＯＳセンサなどの撮像素子である。撮影部３０は、光源／撮影制御部３５の制御に応じて、露光時間、信号ゲインなどの撮影条件が設定され、シャッターＯＮ信号、動作モード（動画モード及び静止画モード）が設定される。
【００２２】
エリアセンサ３００が読取った読取画像データは、例えば撮影部３０内部に設けられたＡ／Ｄ変換回路によりデジタル信号に変換され、γ変換処理、デモザイク処理などが施されて分解色（ＲＧＢ）単位で後段の制御部３４及び検出部３２へ出力される。エリアセンサ３００は、ＲＧＢではなく、ＹＵＶやＹＣｂＣｒのデータを出力するように構成されてもよい。このように、撮影部３０は、撮影対象を対向する位置から撮影し、二次元の画像として出力する。
【００２３】
また、エリアセンサ３００は、設定された動作モードに応じて出力する画像データを切り替える。例えば、エリアセンサ３００は、画像読取装置２０が待機状態である場合には、動画モードで動作し、予め設定されたフレームレート毎に撮影画像を外部に連続出力する。なお、動画モードでの撮影画像は、エリアセンサ３００の全有効画素から間引いて出力され、１撮影画像当たりのデータ容量が少なくされている。
【００２４】
また、検出部３２は、撮影部３０が動画モードで撮影した画像データを使用し、原稿の外形線（原稿と原稿台２００の境界部分）を検出し、検出した外形線を分析処理することにより、原稿の種類、原稿の向き、及び原稿の綴じ部の方向などを検出する。検出部３２は、原稿の縦辺、横辺とも、直線からのズレ量を検出して、そのズレ量が所定の閾値を超えるか否かを判定することにより、直線であるか歪みであるかを判定する。検出部３２は、検出結果として、撮影部３０が撮影した原稿を、図４に示した４種類の原稿モードのいずれかに割り当てる。そして、検出部３２は、後述する原稿モードがいずれであるかを示す信号（検出結果）を光源／撮影制御部３５に対して出力する。
【００２５】
画像読取装置２０が原稿の画像を読取る場合には、エリアセンサ３００は静止画モードで動作する。つまり、エリアセンサ３００は、シャッター信号に同期して、設定された撮影モードで読取画像取得をする。静止画モードでは、エリアセンサ３００の全有効画素データが出力される。静止画モードでの読取画像は、後段のメモリ３３が使用する。
【００２６】
制御部３４は、光源／撮影制御部３５の動作に応じて、メモリ３３における画像データの蓄積開始タイミング、読出しタイミング、ライトアドレス及びリードアドレスなどを制御する。制御部３４は、エリアセンサ３００が静止画モードで撮影したＲＧＢの読取画像データをメモリ３３に対して書き込む（又は読み出す）。
【００２７】
メモリ３３は、画像読取装置２０が複数の照明ランプ３１２の点灯状態を切り替えて、１つの原稿読み取りに対して複数回の読取画像取得を行うために設けられている。
【００２８】
光源／撮影制御部３５は、光源部３１の各照明ランプ３１２が点灯及び消灯するタイミング、撮影部３０が撮影するタイミング、及び画像読取装置２０に対する設定などを制御する。そして、光源／撮影制御部３５は、光源部３１が第１照射位置から原稿に光を照射し、第１照射位置側の原稿により光を正反射させた場合に、原稿の第２照射位置側に位置する第１領域（図７参照）を撮影部が撮影するように制御する。また、光源／撮影制御部３５は、光源部３１が第２照射位置から原稿に光を照射し、第２照射位置側の原稿により光を正反射させた場合に、原稿の第１領域以外の領域を含む第２領域（図７参照）を撮影部が撮影するように制御する。なお、光源／撮影制御部３５は、撮影部３０を制御する撮影制御部と、光源部３１を制御する光源制御部とに分けられてもよい。
【００２９】
画像処理部３６は、複数回に分けて撮影された複数の画像を合成する合成部３６０を有する。また、画像処理部３６は、複数回に分けて撮影された複数の画像の明暗差の補正なども行う。具体的には、後述する第１領域の画像及び第２領域の画像に対し、それぞれで異なるγ補正を実施する。エンコーダ３７は、例えばＪＰＥＧなどの圧縮方式により、画像データをエンコードする。画像Ｉ／Ｆ３８は、所定のデータ形式で画像データを画像形成装置１００に対して出力する。
【００３０】
画像読取装置２０は、信号ケーブル２０４を介して接続されている画像形成装置１００の操作部１０２からユーザが入力する画像読み取りの実行、動作設定等の指示を制御Ｉ／Ｆ３９を介して受入れる。制御Ｉ／Ｆ３９は、受入れた指示等を、光源／撮影制御部３５に対して出力する。光源／撮影制御部３５は、画像読取装置２０を構成する各部の制御も行う。
【００３１】
図４は、検出部３２が検出結果として出力する原稿モードを示す図である。図４（ａ）は、第１原稿モードを示す図である。第１原稿モードは、原稿の縦辺が直線で横辺が歪んでいる状態であり、製本された原稿が左右開きで置かれていることを示す。この場合、原稿の綴じ部の方向は、上下方向であるとする。
【００３２】
図４（ｂ）は、第２原稿モードを示す図である。第２原稿モードは、原稿の横辺が直線で縦辺が歪んでいる状態であり、製本された原稿が上下開きで置かれていることを示す。この場合、原稿の綴じ部の方向は、左右方向であるとする。
【００３３】
図４（ｃ）は、第３原稿モードを示す図である。第３原稿モードは、原稿の横辺、縦辺ともに直線の状態であり、原稿がシート原稿、又はひずみが非常に少ない製本原稿であることを示す。
【００３４】
図４（ｄ）は、第４原稿モードを示す図である。第４原稿モードは、第１原稿モード〜第３原稿モードのいずれでもない状態であり、原稿が置かれていない状態、又は特殊な形状の原稿が置かれている状態を示す。
【００３５】
画像読取装置２０は、待機時には上述した４つの原稿モードのいずれかを示す信号を検出部３２から光源／撮影制御部３５へ出力するようにされている。原稿は、一般的に白色に近い低濃度な物が多い。よって、原稿台２００は、原稿の外形線を検出しやすいように、濃度の濃い部材で構成されることが望ましい。
【００３６】
図５は、画像読取装置２０における照明ランプ３１２の点灯状態、及び原稿台２００における照射範囲を示す図である。なお、図５においては、原稿台２００を上方から見た状態と、各照明ランプ３１２の上方から見た位置とが示されているものとする。上述したように、光源部３１は、照明ブロック３１０ａ〜３１０ｄ（ブロックＡ〜Ｄ）の４つの照明ブロックによって構成されている。照明ブロック３１０ａ〜３１０ｄが備える照明ランプ３１２は、それぞれ導光レンズなどにより、ＬＥＤからの出射光の照射範囲が適切に定められている。
【００３７】
図５（ａ）では、照明ブロック３１０ａの照明ランプ３１２が点灯された状態を示しており、原稿台２００の右側半分を含む領域（例えば原稿の中心よりも右側を含む領域）が照射されている。
【００３８】
図５（ｂ）では、照明ブロック３１０ｂの照明ランプ３１２が点灯された状態を示しており、原稿台２００の左側半分を含む領域（例えば原稿の中心よりも左側を含む領域）が照射されている。
【００３９】
図５（ｃ）では、照明ブロック３１０ｃの照明ランプ３１２が点灯された状態を示しており、原稿台２００の手前側（下側）半分を含む領域（例えば原稿の中心よりも手前側を含む領域）が照射されている。
【００４０】
図５（ｄ）では、照明ブロック３１０ｄの照明ランプ３１２が点灯された状態を示しており、原稿台２００の奥側（上側）半分を含む領域（例えば原稿の中心よりも奥側を含む領域）が照射されている。
【００４１】
図６は、画像読取装置２０の動作例を示すフローチャートである。画像読取装置２０は、ユーザによって操作部２０２のスタートボタンが押下されると、検出部３２が原稿モードを上述した４つのいずれかに確定させ、検出部３２が出力する原稿モードを示す信号を光源／撮影制御部３５が受入れて保持する（Ｓ１００）。
【００４２】
光源／撮影制御部３５は、受入れた原稿モードを示す信号に応じて、照明ランプ３１２のいずれを点灯させるかを判定する（Ｓ１０２）。光源／撮影制御部３５は、原稿モードが第１原稿モード（１）である場合には、照明ブロック３１０ｄの照明ランプ３１２（ブロックＤ）を点灯させる（Ｓ１０４）。光源／撮影制御部３５は、原稿モードが第２原稿モード〜第４原稿モード（２〜４）である場合には、照明ブロック３１０ｂの照明ランプ３１２（ブロックＢ）を点灯させる（Ｓ１０６）。
【００４３】
次に、光源／撮影制御部３５は、エリアセンサ３００の静止画撮影に必要な各種の設定を切り替え（Ｓ１０８）、エリアセンサ３００のシャッターをＯＮにする（Ｓ１１０）。静止画撮影に必要な各種の設定には、動画モードから静止画モードへの切替、静止画モード用露光時間、信号ゲインの設定などがある。
【００４４】
そして、１枚目の読取画像（第１撮影画像）がエリアセンサ３００から出力されると、制御部３４は、第１撮影画像のデータをメモリ３３に蓄積させる（Ｓ１１２）。光源／撮影制御部３５は、第１撮影画像の撮影に用いられた照明ランプ３１２を消灯させる（Ｓ１１４）。
【００４５】
光源／撮影制御部３５は、Ｓ１００の処理で確定した原稿モードに応じて、照明ランプ３１２のいずれを次に点灯させるかを判定する（Ｓ１１６）。光源／撮影制御部３５は、原稿モードが第１原稿モード（１）である場合には、照明ブロック３１０ｃの照明ランプ３１２（ブロックＣ）を点灯させる（Ｓ１１８）。光源／撮影制御部３５は、原稿モードが第２原稿モード〜第４原稿モード（２〜４）である場合には、照明ブロック３１０ａの照明ランプ３１２（ブロックＡ）を点灯させる（Ｓ１２０）。
【００４６】
次に、光源／撮影制御部３５は、エリアセンサ３００の静止画撮影に必要な各種の設定を切り替え（Ｓ１２２）、エリアセンサ３００のシャッターをＯＮにする（Ｓ１２４）。
【００４７】
そして、２枚目の読取画像（第２撮影画像）がエリアセンサ３００から出力されると、制御部３４は、第２撮影画像のデータをメモリ３３に蓄積させる（Ｓ１２６）。光源／撮影制御部３５は、第２撮影画像の撮影に用いられた照明ランプ３１２を消灯させる（Ｓ１２８）。
【００４８】
画像処理部３６は、第１撮影画像及び第２撮影画像に対する画質の補正のパラメータ設定が必要である場合には、パラメータ設定を行う（Ｓ１３０）。制御部３４は、メモリ３３に蓄積されている第１撮影画像及び第２撮影画像を部分読み出し（図７参照）する（Ｓ１３２）。
【００４９】
また、画像処理部３６は、制御部３４がメモリ３３から部分読み出した第１撮影画像及び第２撮影画像を用いて合成する画像処理を行い、ＪＰＥＧエンコードを行って、１つの最終原稿画像を画像Ｉ／Ｆ３８を介して画像形成装置１００へ出力する（１３４）。なお、画像処理部３６は、最終原稿画像を構成する第１撮影画像及び第２撮影画像に明るさに差などがある場合には均一になるように補正を行う。
【００５０】
そして、光源／撮影制御部３５は、エリアセンサ３００の動画撮影に必要な各種の設定を切り替える（Ｓ１３６）。動画撮影に必要な各種の設定には、静止画モードから動画モードへの切替、動画モード用露光時間、信号ゲインの設定などがある。
【００５１】
図７は、メモリ３３に蓄積された第１撮影画像及び第２撮影画像のそれぞれの部分読み出し範囲を示す図である。図７（ａ）においては、綴じられた原稿の上半分を含むように照明光が当てられており、点灯している照明ランプ３１２とエリアセンサ３００の間に対向する原稿上の下側の位置に、照明ランプ３１２が照射する光の正反射成分によるハレーションと呼ばれる白飛びが発生している。制御部３４がメモリ３３から部分読み出す第１撮影画像の範囲は、読出し範囲４００となっている。
【００５２】
図７（ｂ）においては、綴じられた原稿の下半分を含むように照明光が当てられており、点灯している照明ランプ３１２とエリアセンサ３００の間に対向する原稿上の上側の位置に、照明ランプ３１２が照射する光の正反射成分によるハレーションと呼ばれる白飛びが発生している。制御部３４がメモリ３３から部分読み出す第２撮影画像の範囲は、読出し範囲４０２となっている。
【００５３】
白飛び発生部分は、読み取り画像データが飽和している、又は飽和に近い状態になる。
よって、合成部３６０は、図７（ｃ）に示すように、白飛び発生部分を最終原稿画像としては採用しない。即ち、合成部３６０は、例えば読出し範囲４００を第１撮影画像の第１領域とし、読出し範囲４０２を第２撮影画像の第２領域として、合成を行い、最終原稿画像を得る。画像処理部３６は、原稿以外の余白領域に対し、原稿の外形線を用いて除去を行ってもよい。
【００５４】
なお、光源／撮影制御部３５は、照明ブロック３１０ｃ、３１０ｄの照明ランプ３１２を順次に照射させることを選択する入力を操作部２０２が受入れた場合、照明ブロック３１０ｃを照明ブロック３１０ａとみなし、照明ブロック３１０ｄを照明ブロック３１０ｂとみなすように制御を行ってもよい。
【００５５】
次に、比較例について説明する。図８は、比較例における白飛び発生箇所を示す側面図である。図９は、比較例における白飛び発生箇所を示す原稿を上方から見た図である。例えば、原稿が左右開きの状態でセットされているにも関わらず、照明ブロック３１０ａの照明ランプ３１２が点灯すると、図８及び図９（ａ）に示すように、原稿の右側の領域を含むように照明光が当てられる。
【００５６】
白飛びは、照明ランプ３１２とエリアセンサ３００の間に対向する位置だけでなく、製本原稿の歪み状態に応じて、複数個所に発生してしまう。例えば、第１撮影画像の読み出し範囲５００と、第２撮影画像の読み出し範囲５０２に白飛びが発生する。また、白飛び発生位置は、原稿の歪み方によるため予測が困難である。よって、画像合成を行っても白飛びの無い良好な最終読取画像を取得することは困難である（図９（ｃ））。
【００５７】
図９（ｂ）に示すように、照明ブロック３１０ｂの照明ランプ３１２が点灯する場合も同様に、白飛びは、照明ランプ３１２とエリアセンサ３００の間に対向する位置だけでなく、製本原稿の歪み状態に応じて、複数個所に発生してしまう。
【００５８】
次に、光源部３１の変形例について説明する。図１０は、光源部３１の変形例におけるエリアセンサ３００及びその周辺を示す図である。なお、図１０は、図１に示したエリアセンサ３００などを下方から見た場合に対応している。２つの照明ランプ３１２は、エリアセンサ３００を中心として回転する回転部３１４に設けられている。
【００５９】
回転部３１４は、駆動部３１６によって駆動されることにより、各照明ランプ３１２を移動させる。駆動制御部３１８は、各照明ランプ３１２が照明ブロック３１０ａ，３１０ｂ、又は照明ブロック３１０ｃ，３１０ｄの位置に移動するように、駆動部３１６を制御する。つまり、光源部３１の変形例では、図２に示した光源部３１よりも少ない数の照明ランプ３１２によって、照明ブロック３１０ａ〜３１０ｄの位置からの光の照射が可能となっている。
【００６０】
図１１は、画像処理装置１０の変形例（画像処理装置１０ａ）の概要を例示する図である。画像処理装置１０ａは、例えば画像読取装置２０ａ及びＰＣ（Personal  Computer）７０を有する。なお、図１１に示した画像処理装置１０ａの構成部分のうち、画像処理装置１０（図３）に示した構成部分と実質的に同じものには、同一の符号が付してある。
【００６１】
画像読取装置２０ａは、画像読取装置２０が有する構成に加えて、ＵＳＢコントローラ６０を有する。ＵＳＢコントローラ６０は、コンピュータとしての機能を備えて画像処理等を行うＰＣ（処理部）７０との間で画像データなどの通信を行う。つまり、画像読取装置２０ａは、ＵＳＢによって接続される汎用的なイメージスキャナのデバイスクラスに準拠するようなハードウエア及びソフトウエアを備えることにより、ＰＣ７０上のアプリケーションから操作することが可能となる。
【００６２】
以上、各実施形態について説明したが、それらの各部の具体的な構成、処理の内容、データの形式等は、実施形態で説明したものに限るものではない。また、以上説明してきた実施形態の構成は、相互に矛盾しない限り任意に組み合わせて実施可能であることは勿論である。
【符号の説明】
【００６３】
１０、１０ａ  画像処理装置
２０、２０ａ  画像読取装置
３０  撮影部
３１  光源部
３２  検出部
３３  メモリ
３４  制御部
３５  光源／撮影制御部
３６  画像処理部
３７  エンコーダ
３８  画像Ｉ／Ｆ
３９  制御Ｉ／Ｆ
６０  ＵＳＢコントローラ
７０  ＰＣ
１００  画像形成装置
２００  原稿台
２０２  操作部
３００  エリアセンサ
３１０ａ〜３１０ｄ  照明ブロック
３１２  照明ランプ
３１４  回転部
３１６  駆動部
３１８  駆動制御部
３６０  合成部
【先行技術文献】
【特許文献】
【００６４】
【特許文献１】特開平１０−３２７３０１号公報
【図１】
0006451344.tif 000002
【図２】
0006451344.tif 000003
【図３】
0006451344.tif 000004
【図４】
0006451344.tif 000005
【図５】
0006451344.tif 000006
【図６】
0006451344.tif 000007
【図７】
0006451344.tif 000008
【図８】
0006451344.tif 000009
【図９】
0006451344.tif 000010
【図１０】
0006451344.tif 000011
【図１１】
0006451344.tif 000012